(57)【要約】【課題】ベルトとプーリーとの間に手が挟まれることを防止できるベルト脱着具を提供すること。【解決手段】回転機器のベルト脱着時に使用されるベルト脱着具２ａであって、棒状部材３０と、該棒状部材３０の長手方向と直交する方向に沿って該棒状部材３０の一端に形成され、先端４０が面取り加工された鉤部３２と、該鉤部３２の近傍に前記棒状部材３０に対してスライド可能に取り付けられた、前記鉤部３２と平行な棒状突起部３４とを、有するベルト脱着具２ａ。【選択図】  図１
2004202601.tif 000002
【特許請求の範囲】
【請求項１】
回転機器のベルト脱着時に使用されるベルト脱着具であって、棒状部材と、
該棒状部材の長手方向と直交する方向に沿って該棒状部材の一端に形成され、先端が面取り加工された鉤部と、
該鉤部の近傍に前記棒状部材に対してスライド可能に取り付けられた、前記鉤部と平行な棒状突起部とを、有するベルト脱着具。
【請求項２】
前記棒状突起部を、前記棒状部材に固定するための固定手段を有する請求項１に記載のベルト脱着具。
【請求項３】
請求項１または２に記載のベルト脱着具を用いてプーリーに架けられたベルトを取り外す方法であって、
前記プーリー近傍で、前記ベルトの一部を、該ベルトが前記プーリーから外れる方向に持ち上げる工程と、
前記ベルト脱着具の鉤部と棒状突起部との間に、前記プーリーの一部を挟む工程と、
該挟んだ部分を起点として、前記ベルトがプーリーから外れる方向に、前記ベルト脱着具を回動させる工程とを、有するベルトの取り外し方法。
【請求項４】
請求項１または２に記載のベルト脱着具を用いて、プーリーにベルトを取り付ける方法であって、
プーリーにベルトの一部を架ける工程と、
前記ベルト脱着具の鉤部と棒状突起部との間に、前記プーリーに架けられたベルトの一部をプーリーとともに挟む工程と、
前記ベルトがプーリーに架かる方向に、前記ベルト脱着具を用いて前記プーリーを回転させる工程とを、有するベルトの取り付け方法。
【発明の詳細な説明】
【０００１】
【発明の属する技術分野】
本発明は、回転機器類の整備用具に関し、特にプーリへのベルトの脱着具およびこれを使用したベルトの安全な脱着方法に関する。
【０００２】
【従来の技術】
回転機器類のベルトは消耗品であり、所定時間使用した後、交換する必要がある。このため、従来より、ベルトの脱着については、回転機器類のプーリーを回しながら、手でベルトの取り外し、取り付けを行っていた。
【０００３】
しかしながら、回転機器類へのベルトの脱着を手で行うと、ベルトとプーリーとの間に手が挟み込まれる可能性があり、作業の安全性に問題があった。
【０００４】
これに対し、安全にベルトの脱着作業を安全に行うために、クランプ機能を有する金具と、これを使用したベルトの脱着方法とが提案されている（たとえば特許文献１〜２参照）。
【０００５】
【特許文献１】実開平５−８３５１７号公報
【特許文献２】実開平５−８０６７８号公報
【発明が解決しようとする課題】
本発明の目的は、ベルトとプーリーとの間に手が挟まれることを防止できるベルト脱着具と、該ベルト脱着具を使用したベルトの脱着方法とを、提供することである。
【０００６】
【課題を解決するための手段】
上記目的を達成するために、本発明によれば、
回転機器のベルト脱着時に使用されるベルト脱着具であって、
棒状部材と、
該棒状部材の長手方向と直交する方向に沿って該棒状部材の一端に形成され、先端が面取り加工された鉤部と、
該鉤部の近傍に前記棒状部材に対してスライド可能に取り付けられた、前記鉤部と平行な棒状突起部とを、有するベルト脱着具が提供される。
【０００７】
好ましくは、前記棒状突起部を、前記棒状部材に固定するための固定手段を有する。
【０００８】
この発明によると、ベルト脱着具の鉤部と棒状突起部との間に、プーリーやベルトを挟むことができ、ベルト脱着時にベルトに手で触れる必要がなくなるので、手の挟まれを効果的に防止することができる。
【０００９】
本発明によれば、このベルト脱着具を用いてプーリーに架けられたベルトを取り外す方法であって、
前記プーリー近傍で、前記ベルトの一部を、該ベルトが前記プーリーから外れる方向に持ち上げる工程と、
前記ベルト脱着具の鉤部と棒状突起部との間に、前記プーリーの一部を挟む工程と、
該挟んだ部分を起点として、前記ベルトがプーリーから外れる方向に、前記ベルト脱着具を回動させる工程とを、有するベルトの取り外し方法が提供される。
【００１０】
本発明のベルトの取り外し方法は、前記ベルトの一部を、該ベルトがプーリーから外れる方向に持ち上げるに際し、別の前記ベルト脱着具を用い、該別の前記ベルト脱着具の鉤部と棒状突起部との間に、前記プーリー近傍で、前記ベルトを通すことが好ましい。
【００１１】
また、本発明によれば、このベルト脱着具を用いて、プーリーにベルトを取り付ける方法であって、
プーリーにベルトの一部を架ける工程と、
前記ベルト脱着具の鉤部と棒状突起部との間に、前記プーリーに架けられたベルトの一部をプーリーとともに挟む工程と、
前記ベルトがプーリーに架かる方向に、前記ベルト脱着具を用いて前記プーリーを回転させる工程とを、有するベルトの取り付け方法が提供される。
【００１２】
本発明に係るベルトの取り付けおよび取り外し方法によると、ベルトを手で触れずに、プーリーへのベルトの脱着を行えるので、手の挟まれを効果的に防止することができる。
【００１３】
【発明の実施の形態】
以下、本発明を、図面に示す実施形態に基づき説明する。
図１は本発明の一実施形態に係る回転機器のベルト脱着時に使用されるベルト脱着具の正面図、図２は図１のベルト脱着具を用いたプーリーからベルトを取り外す方法の説明図、図３は図１のベルト脱着具を用いたプーリーへベルトを取り付ける方法の説明図である。
【００１４】
図１に示すように、本実施形態に係るベルト脱着具２ａは、金属などで構成される棒状部材３０を有する。棒状部材３０の一端には、該棒状部材３０の長手方向Ｘと直交する方向（幅方向）Ｙに沿って、鉤部３２が形成されている。鉤部３２の先端４０は、ベルトやプーリーを傷つけないようにするために、たとえば１Ｃ程度に面取り加工されている。
【００１５】
鉤部３２の近傍には、鉤部３２と平行な棒状突起部３４が、棒状部材３０に対してスライド可能に取り付けられている。棒状突起部３４の棒状部材３０への取り付け方法は、棒状部材３０にスライド溝３６を形成し、棒状突起部３４の一部をスライド溝３６に嵌め込む方法など挙げられる。この場合、棒状突起部３４を棒状部材３０に固定するための固定手段としては、特に限定されず、たとえばスライド溝３６に当接して摩擦力により棒状突起部３４を固定するねじ３８を有する構成とすることができる。なお、本実施形態では、鉤部３２および棒状突起部３４の先端４０と、鉤部３２および棒状突起部３４の対向面４２は、ベルトやプーリーを傷つけないようにするために、たとえば１Ｃ程度の面取り加工されていることが好ましい。本実施形態に係るベルト脱着具２ａは、たとえば、市販のモーターレンチの鋭利な刃先を、面取り加工することにより、容易に作製することができる。
【００１６】
次に、本実施形態に係るベルト脱着具２ａを用いてプーリーからベルトを取り外す方法を説明する。本実施形態では、このようなベルト脱着具２ａを２つ用いる場合を例示する。図２に示すように、まず、モーター２６等の回転機器類のプーリー２２の近傍で、一方のベルト脱着具Ａの鉤部３２と棒状突起部３４との間に、プーリー２２に架けられたベルト２４を通し、ベルト２４の一部を、該ベルト２４がプーリー２２から外れる方向に持ち上げる。次に、他方のベルト脱着具Ｂの鉤部３２と棒状突起部３４との間にプーリー２２の一部を挟み、ベルト２４がプーリー２２から外れる方向、すなわち図２ではベルト２４が手前側に移動する方向に回転させる。これにより、作業者が直接ベルト２４に触れずにベルト２４のプーリー２２からの取り外しを行うことができる。このため、ベルト２４の取り外し作業中に、プーリー２２とベルト２４との間に手が挟まれることを防止できる。なお、図２に示すように、ベルト２４が複数ある場合には、１本毎に、上記手順を踏んで取り外せばよい。この場合、通常は、プーリー２２には、複数列のプーリー溝（図示省略）が、各ベルト２４に対応する位置に形成されており、各ベルト２４は、それぞれのプーリー溝に対応するように配置される。具体的には、まず、手前のベルト２４をプーリー２２から上記手順で取り外した後、次のベルト２４をプーリー２２端まで移動させ、その後、上記手順で取り外すようにする。
【００１７】
次に、ベルト脱着具２ａを用いてプーリーにベルトを取り付ける方法を説明する。図３に示すように、まず、プーリー２２にベルト２４の一部を架ける。次に、ベルト脱着具２ａの鉤部３２と棒状突起部３４との間に、プーリー２２と、このプーリー２２に一部架けられたベルト２４とを同時に挟み、そのままベルト脱着具２ａによりベルト２４がプーリー２２に架かる方向、すなわち図６ではベルト２４が手前側に移動する方向にプーリー２２を回転させる。これにより、作業者が直接ベルト２４に触れずにベルト２４のプーリー２２への取り付けを行うことができる。このため、ベルト２４の取り付け作業中に、プーリー２２とベルト２４との間に手が挟まれることを防止できる。なお、図３に示すように、ベルト２４が複数ある場合には、１本毎に、上記手順を踏んで取り付ければよい。具体的には、まず、一本のベルト２４をプーリー２２に上記手順で取り付けた後、該取り付けられたベルト２４を奥側（モーター２６側）へ移動させ、その後、次のベルト２４をプーリー２２に上記手順で取り付けるようにする。
【００１８】
以上、本発明の実施形態について説明してきたが、本発明はこうした実施形態に何等限定されるものではなく、本発明の要旨を逸脱しない範囲内において種々なる態様で実施し得ることは勿論である。
【００１９】
たとえば、上述した実施形態では、プーリーからベルトを取り外す際に、２つのベルト脱着具２ａを用いているが、本発明では、一方のベルト脱着具Ａの代わりに、市販のドライバーを使用しても良い。
【００２０】
【発明の効果】
以上説明してきたように、本発明によれば、ベルトとプーリーとの間に手が挟まれることを防止できるベルト脱着具と、該ベルト脱着具を使用したベルトの脱着方法とを、提供することができる。
【図面の簡単な説明】
【図１】図１は本発明の一実施形態に係る回転機器のベルト脱着時に使用されるベルト脱着具の正面図である。
【図２】図２は図１のベルト脱着具を用いたプーリーからベルトを取り外す方法の説明図である。
【図３】図３は図１のベルト脱着具を用いたプーリーへベルトを取り付ける方法の説明図である。
【符号の説明】
２ａ…  ベルト脱着具
３０…  棒状部材
３２…  鉤部
３４…  棒状突起部
３６…  溝
３８…  ねじ
４０…  先端
４２…  対向面
２２…  プーリー
２４…  ベルト
２６…  モーター
【図１】
2004202601.tif 000003
【図２】
2004202601.tif 000004
【図３】
2004202601.tif 000005